Podtech/llm-jp-corpus-v4-ja_patent huggingface dataset:
(57)【要約】【課題】暗所あるいは消灯の直後でも、確実に目の中に点眼できる目薬容器。また、使用後、容器の先が手などに触れることなくキャップをする。【解決手段】目薬容器の先端にあるノズルおよびキャップを蓄光材料でつくる。そうすると、目薬容器は暗所などで光る。よって課題を解決した。【選択図】図１
2005169044.tif 000002
【特許請求の範囲】
【請求項１】
ノズルおよびキャップを蓄光材料でつくり、暗所で光る目薬容器。
【発明の詳細な説明】
【発明の詳細な説明】
【技術分野】
【０００１】        この発明は、暗所でも確実に点眼できる目薬容器に関する。
【背景技術】
【０００２】        就寝前、消灯の直後に、点眼する場合がある。この場合、従来の目薬容器を用いて点眼すると、容器の先端にあるノズルが見えないため、目薬が目の中に入らないことがある。ノズルがまぶたや睫毛に触れることもある。使用後、キャップを閉めるとき、ノズルが指に触れることもある。目薬が汚れ、変質の原因となる。暗所または消灯の直後に、点眼する目的とした目薬容器は無かった。
【発明が解決しようとする課題】
【０００３】        暗所または消灯の直後にも、目薬を確実に目の中に点眼できる。ノズルがまぶたなどに触れることなく使用できる。使用後ノズルが指に触れることなくキャップを閉める。このような目薬容器の実現を本発明の課題とする。
【課題を解決するための手段】
【０００４】        図１に示すように、１ノズルを蓄光材料でつくる。また、キャップの一部または全部を蓄光材料でつくる。
蓄光材料を使用することによって、目薬のノズルが暗所などでも見えることになる。目薬を確実に目の中に点眼できる。また、ノズルがまぶたなどに触れることも避けられる。
【０００５】暗所でもキャップが見えるから、指に触れることなくキャップを閉める。
【発明を実施するための最良の形態】
【０００６】        図１に示すように、目薬容器は３つの部品で構成される。すなわち、１ノズル、２キャップおよび３容器である。暗所で使用するため、１ノズルおよび２キャップの一部あるいは全部は蓄光材料を使用している。蓄光材料を使用することによって、暗所で光るため、目薬が暗所で使用できる機能は実現される。
１ノズルと２キャップが同時に蓄光できるために、２キャップの材料は光を通過できる材料を採用する。【０００７】暗所での使用時、目薬容器を蛍光灯などに一度当ててから使用する。そうすると、目薬容器が光るため、暗所または消灯の直後に見えることとなる。
【発明の効果】
【０００８】        本発明は、暗所または消灯の直後に、目薬を目の外に点眼することを無くし、暗所での点眼機能が実現される。また、ノズルがまぶたや睫毛に触れることも無く、手に触れることも無く、暗所でもキャップが閉じられる。衛生的、品質の保持には役に立つ。
【図１】
2005169044.tif 000003
【手続補正書】
【提出日】平成16年3月9日(2004.3.9)
【手続補正２】
【補正対象書類名】明細書
【補正対象項目名】全文
【補正方法】変更
【補正の内容】
【発明の詳細な説明】
【技術分野】
【０００１】        この発明は、暗所でも確実に点眼できる目薬容器に関する。
【背景技術】
【０００２】        就寝前、消灯の直後に、点眼する場合がある。この場合、従来の目薬容器を用いて点眼すると、容器の先端にあるノズルが見えないため、目薬が目の中に入らないことがある。ノズルがまぶたや睫毛に触れることもある。使用後、キャップを閉めるとき、ノズルが指に触れることもある。目薬が汚れ、変質の原因となる。暗所または消灯の直後に、点眼する目的とした目薬容器は無かった。
【発明が解決しようとする課題】
【０００３】        暗所または消灯の直後にも、目薬を確実に目の中に点眼できる。ノズルがまぶたなどに触れることなく使用できる。使用後ノズルが指に触れることなくキャップを閉める。このような目薬容器の実現を本発明の課題とする。
【課題を解決するための手段】
【０００４】        図１に示すように、１ノズルを蓄光材料でつくる。また、２キャップの一部または全部を蓄光材料でつくる。
蓄光材料を使用することによって、目薬のノズルが暗所などでも見えることになる。目薬を確実に目の中に点眼できる。また、ノズルがまぶたなどに触れることも避けられる。
【０００５】        暗所でもキャップが見えるから、指に触れることなくキャップを閉める。
【発明を実施するための最良の形態】
【０００６】        図１に示すように、目薬容器は３つの部品で構成される。すなわち、１ノズル、２キャップおよび３容器である。暗所で使用するため、１ノズルおよび２キャップの一部あるいは全部は蓄光材料を使用している。蓄光材料を使用することによって、暗所で光るため、目薬が暗所で使用できる機能は実現される。
１ノズルと２キャップが同時に蓄光できるために、２キャップの材料は光を通過できる材料を採用する。【０００７】        暗所での使用時、目薬容器を蛍光灯などに一度当ててから使用する。そうすると、目薬容器が光るため、暗所または消灯の直後に見えることとなる。
【発明の効果】
【０００８】        本発明は、暗所または消灯の直後に、目薬を目の外に点眼することを無くし、暗所での点眼機能が実現される。また、ノズルがまぶたや睫毛に触れることも無く、手に触れることも無く、暗所でもキャップが閉じられる。衛生的、品質の保持には役に立つ。
【図面の簡単な説明】
【０００９】
【図１】    平面図
【図２】    蓄光材料の配置図
【符号の説明】
【００１０】    １  ノズル  ：蓄光材料でつくる
２  キャップ：一部又は全部蓄光材料でつくる、同時に、光が通過できる材料
３  容器    ：プラスチックなどの材料
４  蓄光材料：蓄光材料
５  蓄光材料：蓄光材料
【手続補正３】
【補正対象書類名】図面
【補正対象項目名】全図
【補正方法】変更
【補正の内容】
【図１】
2005169044.tif 000004
【図２】
2005169044.tif 000005
(57)【要約】      （修正有）【課題】天然材に似せた触感と重量感を兼ね備えた風合いのある碁石を提供する。【解決手段】金型状上部の中心部を貫通している縦孔は樹脂材の注入孔で、金型下部の中央に設けた支持穴は、鉛片６を中空間に浮かせた状態に保つ支柱７を支持する。鉛片６の中心部には、支柱７を少し硬めに押し込む様に貫通孔８を設けてある。支柱７は成型品と同じ樹脂材を予め棒状に加工したものである。それを、貫通孔８と支柱７に通し、一方を金型下部の支持孔に差し込む事で、鉛片６を中空間に浮かせた状態で保持する。これにより、天然製碁石の質感と触感を兼ね備えた風合いのある碁石を安価に大量に安定的に提供できる。【選択図】図２
2005169019.tif 000002
【特許請求の範囲】
【請求項１】
合成樹脂成型品内部の任意の位置に、別素材の固形物を埋設して製造する射出成型法。
【請求項２】
合成樹脂材の比重の軽さを補い重量を整えるため、成型品内中心部に、おもりとなる鉛片等を埋め込んで製造する碁石の製造法。
【発明の詳細な説明】
【発明の詳細な説明】
【技術分野】
【０００１】  本発明は、合成樹脂材と鉛片を用いた碁石の製造に関するものである。
【背景技術】
【０００２】  従来の碁石は、白石は蛤の貝殻を、黒石は黒い岩石を切断、研磨して作られてきた。しかし、乱獲や環境悪化等々の結果、日本蛤は壊滅状態となり、最近ではほとんど入手困難の状態となった。
そこで、一般普及品として、ガラス粉末を用いて焼結加工したガラス製碁石やプラスチックを材料としたプラスチック製碁石等が製造される様になった。
しかし、それらには致命的な欠点があって、あまり使われていない。
【発明が解決しようとする課題】
【０００３】  それらガラス製碁石やプラスチック製碁石等には、次の様な課題がある。
（１）蛤の貝殻や岩石で作る天然碁石は、天然物素材の枯渇にあって数量の絶対的な不足から碁石価格の高騰となって一般の囲碁愛好者は入手困難になっている。
（２）一方、ガラス粉末成型加工に依るガラス製碁石は、硬質ガラスと言えども衝撃に脆く、破損した碁石の縁で指先をケガする危険性があって好まれない。
（３）プラスチック製碁石は破損する心配はないが、素材の比重が軽く、しかも質感や触感にも欠け、碁石としの重量感もなく、不満足な代物でしかない。
【問題を解決するための手段】
【０００４】（１）本件では、素材として合成樹脂を使う事によって、ガラス製碁石のように破損する心配もなく、ケガをする様な危険性も無く、安価に、安定的に、大量に安全な碁石を製造できる。
（２）合成樹脂素材の軽量さを補う為に、合成樹脂成型品の内部に、おもりとなる鉛片を埋設して、天然材碁石と同様な重量感のある碁石を製造できる。
【発明を実施するための最良の形態】
【０００５】  以下、本発明の実施の形態を図に依って説明する。
（イ）  図１は、本製造法に関する金型の断面図である。
金型上部（１）と金型下部（２）が合体した時に出来る楕円形の中空間（３）は、合成樹脂を射出して成型する碁石の形状に切削した部分である。
金型上部（１）の中心部を貫通している縦孔は樹脂材の注入孔（４）である。
金型下部（２）の中央に設けた支持穴（５）は、図２の鉛片（６）を中空間（３）に浮かせた状態に保つ支柱（７）を支持する為にある。
（ロ）  図２は、成型碁石内部に埋設される鉛片（６）を、中空間（３）の空中に支持した状態を示した断面図である。
鉛片（６）の中心部には、支柱（７）を少し硬めに押し込む様に貫通孔（８）を設けてある。
支柱（７）は、成型品と同じ樹脂材を予め棒状に加工したものである。それを、貫通孔（８）と支柱（７）に通し、一方を金型下部（２）の支持孔（５）に差し込む事で、鉛片（６）を中空間（３）に浮かせた状態で保持する事が出来る。
（ハ）  図３は、金型上部（１）と金型下部（２）を合体させ、合成樹脂を射出成型した直後の製品状態を示す縦断面図である。
支柱（７）の素材は、成型品素材と同じであるため、射出時に同化してしまうので、碁石の形状に不必要な部分を削除し、研磨仕上げをすれば、図４の如くの完成品となる。
【発明の効果】
【０００６】  合成樹脂材を使用する事によって、衝撃によって破損する事のない碁石を製造する事ができるばかりなく、合成樹脂材の軽量さを補う為に、合成樹脂成型品の内部に天然製碁石と同等の重量感のおもりと成る鉛片を埋設して、天然製碁石と同等の重量感を整えるため、天然製碁石の質感と触感を兼ね備えた風合いのある碁石を安価に大量に安定的に提供できる。
【図面の簡単な説明】
【図１】  本製造法に関する金型の断面図
【図２】  成型品内部に埋設する鉛片の支持状態を示す断面図
【図３】  樹脂材を射出成型した直後の製品断面図
【図４】  完成品の断面図
【符号の説明】
１  金型上部
２  金型下部
３  中空間
４  注入孔
５  支持穴
６  鉛片
７  支柱
８  貫通孔
【図１】
2005169019.tif 000003
【図２】
2005169019.tif 000004
【図３】
2005169019.tif 000005
【図４】
2005169019.tif 000006
(57)【要約】【課題】  小学生は治安の悪化に伴い防犯ブザー等を携帯することが多くなっているが、従来のランドセルには、防犯ブザー等を取り付ける金具が側面にあるため、側面に防犯ブザーを取り付けると、不審者に襲われそうになったとき防犯ブザー等に手が届きにくく、とっさのときに利用が困難という不満があった。そこで、本発明は、とっさのときに小学生が使いやすいよう、防犯ブザー等を取り付けることができるランドセルの提供を課題とする。【解決手段】  ランドセル１の背負いベルト２に、吊下げ具等３を設ける。【選択図】  図１
2005169018.tif 000002
【特許請求の範囲】
【請求項１】
背負いベルト２に吊下げ具等３を設けたランドセル
【発明の詳細な説明】
【技術分野】
【０００１】  この発明は、背負いベルトに吊下げ具等を設け、小学生が使いやすい位置に防犯ブザー等を取り付けることができるランドセルに関するものである。
【背景技術】
【０００２】  従来のランドセルには、吊下げ具を、本体側面に設けているランドセルがある。
【特許文献】  特許出願平９−３６２４３０
【発明の開示】
【発明が解決しようとする課題】
【０００３】  小学生は治安の悪化に伴い防犯ブザー等を携帯することが多くなっているが、従来のランドセルには、防犯ブザー等を取り付ける金具が側面にあるため、側面に防犯ブザーを取り付けると、不審者に襲われそうになったとき防犯ブザー等に手が届きにくく、とっさのときに利用が困難という不満があった。そこで、本発明は、とっさのときに小学生が使いやすいよう、防犯ブザー等を取り付けることができるランドセルの提供を課題とする。
【課題を解決するための手段】
【０００４】  ランドセル１の背負いベルト２に、吊下げ具等３を設ける。
【発明の成果】
【０００５】  小学生が不審者に襲われそうになったとき、防犯ブザー等が手の届きやすい位置に取り付けられているため、直ぐに作動させることができる。
【発明を実施するための最良の形態】
【０００６】  ランドセルの背負いベルトの胸にあたる部分の外側にフック等の吊下げ具等を設ける。
【図面の簡単な説明】
【０００７】
【図１】背負いベルトに吊下げ具等を設けたランドセルの全体図
【符号の説明】
【０００８】１  ランドセル
２  背負いベルト
３  吊下げ具等
【図１】
2005169018.tif 000003
(57)【要約】【課題】本発明は、非常に多くの女性がマスカラを愛用していることに配慮し、その際に生じる手間を省くことができるマスカラ用汚れ防止シートを提供する。【解決の手段】下まつげにマスカラをぬる際に汚れを防止できることを特徴としたマスカラ用汚れ防止シート。【特許請求の範囲】
【請求項１】
シートは粘着・伸縮性のあり、下まつげにマスカラをぬる際に汚れを防止するマスカラ用汚れ防止シート。
【発明の詳細な説明】
【技術分野】
【０００１】  本発明は、下まつげにマスカラをぬる際に肌が汚れるのを防ぐマスカラ用汚れ防止シートである。
【背景技術】
【０００２】  近頃の女性は、非常にマスカラを愛用している。
上まつげに比べ下まつげは肌に密着している為にマスカラが肌につきやすく、綿棒などで修正するのが面倒である。
化粧をしたまま何度でも使えるシートがあれば、時間も手間も省け経済的で、マスカラを気にせずたっぷりぬることができる。
【発明の開示】
【発明が解決しようとする課題】
【０００３】  そのために次のような問題点があった。
イ）上まつげに比べ下まつげは肌に密着しているため汚れがつきやすい
ロ）汚れた際、綿棒などで修正するのは面倒で手間がかかる。
本発明は以上の問題点を解決しようとするものである。
【本発明が解決するための手段】
【０００４】  シートは、粘着・伸縮性のある素材で、化粧の上から使用できる。
拭き取るだけなので、何度でも使用でき経済的である。
以上を特徴とするマスカラ用汚れ防止シートである。
【発明の効果】
【０００５】  シートを使用することにより、汚れた時と比べ時間を短縮できわずらわしくない。
粘着・伸縮性があるので、目の下のラインぎりぎりに沿って使用することで効果を発揮する。
下まつげが肌に密着しているためにマスカラがつきやすいが、シートを利用すればファンデーション等化粧の上から使用できて便利である。
また、何度でも使用できるので経済的である。
【発明を実施するための最良の形態】
【０００６】  以下、本発明の実施の形態を説明する。
下まつげにマスカラをぬる際に肌が汚れるのを防ぐ、マスカラ用汚れ防止シートである。
シートは、粘着・伸縮性のあるシートである。
目の下のラインぎりぎりに沿ってシートを貼り付ける。
本発明は以上の構成よりなっている。
【図面の簡単な説明】
【０００７】
【図１】本発明の斜視図である。
【図２】本発明の使用状態を示す斜視図である。
【符号の説明】
【０００８】１．シート
２．目
【図１】
2005169051.tif 000002
【図２】
2005169051.tif 000003
(57)【要約】〔課題〕本発明は一定の力で魚のウロコを剥がし、それが周囲に飛び散るのを防いだものである。〔解決手段〕本発明は１が手からはみ出ることなく手中内に全て納まる大きさなので持ち易く安定している。１の前方に口を開け、その内部に入ったウロコが中央に設けた２により剥がされ、周囲に飛び散るのを防止する。材質は耐久性、安全性、衛生面にも優れ外気温にも影響を受けない高質プラスチックを用いる。【選択図】図１
2005169058.tif 000002
【特許請求の範囲】
【請求項１】
空洞円柱形の前面に口を開け、円柱形の中央にノート下敷きほどの厚さのしきりを設置した魚のうろこ取り器。
【発明の詳細な説明】
【発明の詳細な説明】
〔発明が属する技術分野〕
【０００１】本発明は、鱗飛散防止を設けた魚鱗取り器に関するものである。
〔従来の技術〕
【０００２】今までは、魚のウロコを剥がすのに包丁や従来のウロコ取り器を使っていたが、魚の大小によって力の配分も異なり剥れたウロコが回りに飛び散り、後片けにも時間を要していた。
〔発明が解決しようとする課題〕
【０００３】魚の大きさ、ウロコの堅さによって力の配合が異なる不便さ、また剥れたウロコが周りに飛び散るので、後片づけの手間暇がかかる欠点を解決するものである。
〔課題を解決するための手段〕
【０００４】ウロコ取り器が手中内で納まる形であれば、魚の大小にかかわらず一定の力でウロコを剥がすことができ必要以上の労力を要しないですむ。
剥れたウロコがウロコ器内に納まり、周囲に飛び散らず後処理が簡単である。材質は耐久性、安全性、衛生面にも優れている高質プラスチックを用いる。
〔発明の実施の形態〕
【０００５】円形状で手中内に納まる大きさの為持ち易くなっている。
それによってほぼ一定の力で魚体にそって左右に動かすだけでウロコを剥がす事ができる。ウロコ取り器前面には口が開いており、そこを通過したウロコが器内中央に設けた刃によって剥がされるので、器内に納まり飛び散る問題点を解決するものである。
〔実施例〕
【０００６】以下、添付図面に従って一実施例を説明する。１は手中内に納まる大きさに作る。２の器内中央に設けた刃状の物によってウロコが剥がされ、剥がされたウロコは円形の器内から外に出ないのである。
〔発明の効果〕
【０００７】上述のように本発明の魚ウロコ取り器は魚の大小、ウロコの堅さに関わらず、ほぼ一定の力でウロコを剥がすことができる。また、剥がれたウロコは器内に納まり飛び散らないので後始末が簡単である。
【図面の簡単な説明】
【０００８】
【図１】本発明のウロコ取り器の一実施例を示す斜型図面である。
【図２】本ウロコ取り器の一部切欠断面図である。
【符号の説明】
【０００９】１  ウロコ取り器  本体
２  ウロコ取り刃
【図１】
2005169058.tif 000003
【図２】
2005169058.tif 000004
(57)【要約】【課題】眠れないという問題を解決するために足のつぼを刺激する玉のついたゴムバンドを提供する。【解決手段】ゴムバンド１に半球の玉３を取り付けることによって足のつぼを刺激し自然に眠れるようにする。【選択図】図１
2005169056.tif 000002
【特許請求の範囲】
【請求項１】
半球の玉３を空気の玉にするもの
【請求項２】
半球の玉３を球状にするもの
【請求項３】
ゴムバンド１を靴下にするもの
【請求項４】
半球の玉３を複数にするもの
【請求項５】
ゴムバンドをベルトにするもの
【発明の詳細な説明】
【技術分野】
【０００１】本発明は、不眠症を解決するために、ゴムバンドに半円球の玉を縫い付けて足に装着し足の裏のつぼを刺激して安眠するものである。
【背景技術】
【０００２】従来は、足のつぼを刺激して安眠する器具はなかった。
【発明の開示】
【発明が解決しようとする課題】
【０００３】眠れない日は、どんな事をしても眠れないという難点があった。本発明は、人間は、足元から眠るという原則に基ずき足のつぼを刺激して安眠するようこの課題を解消するためになされたものである。
【課題を解決するための手段】
【０００４】ゴムバンド１に半球の玉３を縫いつけることによって、足のつぼを刺激できるようにした。またマジックテープ２をゴムバンド１に縫いつけたことにより、マジックテープ２のとめる場所を変える事により足の締めつけられる力の強弱をつけられるようにした。
【発明の効果】
【０００５】眠れないときでも足のつぼを刺激することで、眠りにつく事が出来る。しかも布製ゴムバンドにマジックテープ２をつけた事で締め付けの強弱も調節でき布団などにも傷をつけない、以下本発明の実施の形態について説明する。（イ）．ゴムバンド本体１に半球の玉３を玉の端にあいてる穴を使い縫い付ける。（ロ）．ゴムバンド本体１にマジックテープ２を縫いつける。
【実施例１】
【０００６】  図１
【図面の簡単な説明】
【０００７】
【図１】本発明の正面図面である。
【図２】本発明の断面図面である。
【符号の説明】
【０００８】１  ゴムバンド本体２  マジックテープ３  半球の玉４  穴
【図１】
2005169056.tif 000003
【図２】
2005169056.tif 000004
(57)【要約】【課題】テープカッターの下部に取りつける目盛の付いたものさしを提供する。【解決手段】テープカッターの下部にすべり止めシートの付いたものさしガイドを２個設け、そのものさしガイドの間にすべり止めシートの付いたものさしを装着したことを特徴とするテープカッター用ものさしである。【選択図】  図４
2005169611.tif 000002
【特許請求の範囲】
【請求項１】
テープカッターの下部にすべり止めシートの付いたものさしガイドを２個設け、そのものさしガイドの間にすべり止めシートの付いたものさしを装着したことを特徴とするテープカッター用ものさし。
【発明の詳細な説明】
【技術分野】
【０００１】  この発明は、セロテープを無駄なく切るためのものさしに関するものである。
【背景技術】
【０００２】  従来、目分量でセロテープを切っていた。
【発明の開示】
【発明が解決しようとする課題】
【０００３】  これは次のような問題点があった。
（イ）目分量でセロテープを切るため長さが長かったり短かったりして無駄が多かった。
（ロ）均一の長さにセロテープを切ることができなかった。
本発明は、これらの問題点を解決するためになされたものである。
【課題を解決するための手段】
【０００４】  テープカッターの底面にものさしガイドを左右に設ける。その間にものさしを挿入する。
本発明は、以上のような構成よりなるテープカッター用ものさしである。
【発明の効果】
【０００５】  本発明を使用する事によって均一の長さにセロテープを切ることができ、無駄を省くことができる。
【発明を実施するための最良の形態】
【０００６】  以下、本発明の実施の形態について説明する。
（イ）  ものさしをはさむガイド（２）をテープカッター（４）の底面に張りつける。
（ロ）  ものさし（１）をガイド（２）に挿入する。
（ハ）  ガイド（２）とものさし（１）にすべり止めシート（３）を張りつける。
本発明は、以上のような構成で、これを使用する時は、テープカッター（４）より切りたい長さの分だけものさし（１）を引き出しセロテープを計って切る。
【図面の簡単な説明】
【０００７】
【図１】本発明の正面図である。
【図２】本発明の側面図である。
【図３】本発明の斜視図である。
【図４】本発明の使用状態の斜視図である。
【符号の説明】
【０００８】        １  ものさし
２  ものさしガイド
３  すべり止めシート
４  テープカッター
５  両面テープ
６  セロテープ
【図１】
2005169611.tif 000003
【図２】
2005169611.tif 000004
【図３】
2005169611.tif 000005
【図４】
2005169611.tif 000006
(57)【要約】      （修正有）【課題】駆動ヘッドと回転調整レバーの位置を任意に設定できるようにすることで、より狭い所で安全に使用できることを可能としたエアー等の動力駆動ラチエットハンドルを提供する。【解決手段】駆動ヘッド１と本体３の取り付けナット２の内部にスプリングワッシヤ５を取り付けることによって、駆動ヘッドと本体の位置を調整可能にし、本体に取り付けられた回転調整レバー４の位置を駆動ヘッドに対して任意に設定することを可能とした。【選択図】図１
2005169608.tif 000002
【特許請求の範囲】
【請求項１】
狭い所でエアー等の動力駆動ラチエットを使用して作業する時に障害物に；回転調整レバーが干渉し、回転が止まらなくなり手を挟むなどの危険を回避するために、駆動ヘッド部分の向きが変えられることを特徴とする首振り機能付き動力駆動ラチエットレンチ。
【発明の詳細な説明】
【技術分野】
【０００１】  本発明は、エアー等の動力で駆動するラチエットレンチに関するものである。
【背景技術】
【０００２】  従来エアー等で駆動するラチエットレンチは、駆動ヘッドと回転調整レバーの位置が固定されていたが障害物にレバーが干渉し、回転が止まらなくなり、手を挟むなどの危険があり、狭い所では使用できないという欠点があったが、駆動ヘッドと回転調整レバーの位置を変えることが出来る動力駆動ラチエットハンドルはなかった。
【発明の開示】
【発明が解決しようとする課題】
【０００３】  解決しようとする問題点は、駆動ヘッドと回転調整レバーの位置を変えることができない点である。
【課題を解決するための手段】
【０００４】  本発明は、駆動ヘッドと本体の取り付け部分を可動出来るようにすることで本体に取り付けられている回転調整レバーを任意の位置に設定できることを最も主要な特徴とする。
【発明の効果】
【０００５】  本発明の首振り機能付き動力駆動ラチエットハンドルは、駆動ヘッドに対して、回転調整レバーの位置を任意に設定できるので回転調整レバーに障害物が干渉しない位置に設定できるのでより狭い所での作業が可能になるという利点がある。
【発明を実施するための最良の形態】
【０００６】  駆動ヘッドと回転調整レバーの位置を任意に設定出来る事によって、回転調整レバーが障害物に干渉して回転が止まらなくなり手を挟む等の危険を回避することを実現した。
【実施例１】
【０００７】  図１は、本発明の１実施例の立体図であって、駆動ヘッドと回転調整レバーの位置関係を示したものである。【００１０】  図２は、図１の一部断面図を含む側面図であって、図１と同様の動きを示したものであり、１駆動ヘッドを、３本体に取り付ける２取り付けナットの内部に５スプリングワッシヤを取り付け、１駆動ヘッドが可動できる状態で２取り付けナットを３本体に取り付けることで１駆動ヘッドと４回転調整レバーの位置を任意に設定できる様子を示したものである。
【産業上の利用可能性】
【００１１】  駆動ヘッドと回転調整レバーの位置を任意に設定できることによって動力駆動ラチエットを狭い所で使用する時に回転調整レバーが障害物に干渉しないように設定できるので、回転が止まらなくなり手を挟む等の危険を回避できるので、より狭い所での用途にも適用できる。
【図面の簡単な説明】
【００１２】
【図１】首振り機能付き動力駆動ラチエットハンドルの動きを示した立体図である。
【図２】首振り機能付き動力駆動ラチエットハンドルの一部断面図を含む側面図である。
【符号の説明】
【００１３】１  駆動ヘッド
２  取り付けナット
３  本体
４  回転調整レバー
５  スプリングワッシヤ
【図１】
2005169608.tif 000003
【図２】
2005169608.tif 000004
(57)【要約】【課題】目盛の付いたものさし付きテープカッターを提供する。【解決手段】テープカッターの底面付近にものさしを出し入れできる穴を設け、ものさしを取りつけたことを特徴とするものさし付きテープカッターである。【選択図】  図３
2005169610.tif 000002
【特許請求の範囲】
【請求項１】
テープカッターの内部にものさしを装着したことを特徴とするものさし付きテープカッター。
【発明の詳細な説明】
【技術分野】
【０００１】  この発明は、セロテープを無駄なく切るためのものさし付きテープカッターに関するものである。
【背景技術】
【０００２】  従来、目分量でセロテープを切っていたテープカッターがあった。
【発明の開示】
【発明が解決しようとする課題】
【０００３】  これは次のような問題点があった。
（イ）目分量でセロテープを切るため長さが長かったり短かったりして無駄が多かった。
（ロ）均一の長さにセロテープを切ることができなかった。
本発明は、これらの問題点を解決するためになされたものである。
【課題を解決するための手段】
【０００４】  従来のテープカッターの内部に移動できるものさしを設ける。
本発明は、以上のような構成よりなるものさし付きテープカッターである。
【発明の効果】
【０００５】  本発明を使用する事によって均一の長さにセロテープを切ることができ、無駄を省くことができる。
【発明を実施するための最良の形態】
【０００６】  以下、本発明の実施の形態について説明する。
（イ）  テープカッター（２）の底面近くにものさし（１）が出し入れできる部分を成型する。
（ロ）  ものさし（１）をテープカッター（２）に挿入する。
本発明は、以上のような構成で、これを使用する時は、テープカッター（２）より切りたい長さの分だけものさし（１）を引き出しセロテープを計って切る。
【図面の簡単な説明】
【０００７】
【図１】本発明の側面図である。
【図２】本発明の正面図である。
【図３】本発明の使用状態の斜視図である。
【符号の説明】
【０００８】  １  ものさし
２  テープカッター
３  セロテープ
【図１】
2005169610.tif 000003
【図２】
2005169610.tif 000004
【図３】
2005169610.tif 000005
(57)【要約】【課題】上水道に直結するオゾン水生成器におけるオゾン発生用電力を外部からの電源供給で無く、自己発電機能を有し自らの機器内で発電し電力を得、その電力をオゾン発生用の電源とするオゾン水生成器を開発する。【解決手段】上水道の給水栓蛇口に直結し給水栓の解放により、その水流でタービンを廻し発電機を回転することで電力を得ることができ、その得られた電力をオゾン水生成用のオゾンを発生させる電力とすることが出来るので、全く外部からの電力供給を無くしたオゾン水生成器を提供するものである。【選択図】図３
2005169297.tif 000002
【特許請求の範囲】
【請求項１】
上水道の蛇口に直結したオゾン水生成器であって、そのオゾン水生成器におけるオゾン発生用の電力は、上水道の蛇口給水栓を開放し放水した時に発生する水流により水流タービンを介しその回転により発電機を駆動し発電するもので、その発電された電力をオゾン発生器の電力とすることで、該発生オゾンと上水道水を撹拌混合しオゾン水を生成する上水道直結式発電機付オゾン水生成器。
【発明の詳細な説明】
【技術分野】
【０００１】
本発明は、上水道の水にオゾンを与えてオゾン水を生成する機器に関するものである。
【背景技術】
【０００２】
オゾン水を生成するには、簡易方法として無声放電式、又は沿面放電式によりオゾンを発生させ、該オゾンと水を撹拌混合しオゾン水を生成しておる。実用として、オゾン発生器用の電力としては商用の外部電力を取り入れ、オゾン発生用の放電電力としておる。
【０００３】
従って、当該機器を設置する場合は、当然にして配線に関わる電気工事が不可避であり、設置に当たって多くの場合は設置付近に利用できる電源コンセントが無い場合があり、取り分け屋外設置は電源配線工事が余儀なくされてしまう。又、水と商用電気を近接状態で使用するので安全面での配慮は不可避である。
【０００４】
更に、この方法では単に外部電力を使用する利便性において有益な機器ではあるが、今日の環境問題への取り組み、とりわけクリーンエネルギーを求める気運において外部よりの供給電力を使用しただけの機器は一方では優れた機器の存在と相反して他方では有害物質を放出することになり総合的に優れた機器として言いがたいものがある。
【０００５】
そこで、当該品の最大の問題点を払拭するにはオゾン発生器が消費する電力を、外部より取り入れせずして当該機器を作動させることで解決できる機器の開発をするものである。
【特許文献１】特許公開２００３−３２０２３２
【特許文献２】特許公開２００３−１３５９４４
【非特許文献１】不知
【発明の開示】
【発明が解決しようとする課題】
【０００６】
解決しようとする問題点は、外部より電力の供給を受けないことにに有るから、当該機器の内部で発電し、その電力をオゾン発生の電力として使用することにある。
【課題を解決するための手段】
【０００７】
本発明にあたり不可避である必要とされる発電方法は、既に出願済みの特願２００３‐２０９２１２による発電方法を用いる事により実現できる。
【発明の効果】
【０００８】
近年Ｏ‐１５７に代表される大腸菌、黄色ブドウ状球菌、サルモネラ菌等により汚染された事故が多数報告さており、そこで容易にそれらの菌に対処出来る方法としてオゾン水による洗浄が有効とされて居ります。それに伴い、水道水をオゾン水に生成する機器が多数開発されておりますが、そのいずれもが外部より電力を供給するものであり、当然にしてその機器設置場所の付近に電源が無い場合は配線工事も余儀無くされてしまう。
本発明の水道蛇口直結式水流発電機付オゾン水生成器は、自らの放水水流を元に発電し、その電力によりオゾンを発生させる方法で有るから、上記の欠点を取除き如何なる場所にある給水栓にも設置できるオゾン水生成器である。
【発明を実施するための最良の形態】
【０００９】
上水道の給水栓蛇口に取付ける方法であるから可能な限りコンパクトサイズにする必要があり、よって給水口と出水口とを接近させ、水路を迂回させたケースを設けタービン回転により発電する。従って、発電機及びオゾン発生器も同ケースに収納しオゾンと水の撹拌混合はケース内にパイプを配し出水口の直前で行う様に実現した。
【実施例１】
【００１０】
本発明の実施に当たっては既に出願済みの特願２００３‐２０９２１２の発電方法を基本的に採用することで容易に実現できる。
【００１１】
図１は本発明の外観図であって、(４)のネジにより内部に配した水道蛇口を固定するリング(５)を締め付けることで、水道の給水栓と本発明品を固定することができる。
【００１２】
図２は本発明品の部品構成を示す展開図であり、大別して給出水オゾンミキシングケース(１)と発電機、オゾン発生器収納ケース(８)とを別製作により接合することで水路の確保をし、タービンケース(９)にタービン(１０)を取り付けタービンケース蓋(１１)、発電機取付ベース(１２)、発電機(１３)と順次組み込むことで発電機の部分が構成される。一方、発電機、オゾン発生器収納ケース(８)にはプリント基板により構成されたオゾン発生器(１６)を収納し、その発生オゾンを内部パイプにより給出水オゾンミキシングケース(１)に導きタービン(１０)を経由した水とミキシング壁(２)を通過してオゾン水が生成され出水口(３)より放水されるものである。
【００１３】
図３は水路を示す断面図であり、給水栓蛇口より流入した水は図示Ａの矢印に沿って流れ、タービン(１０)を回転させながらＣの方向に流れ込み、給出水オゾンミキシングケース内に於いて図２の発電機、オゾン発生器収納ケース(８)に収納されたオゾン発生器(１６)により発生したオゾンとを図示Ｂより導くことで水とオゾンが同時にミキシング壁(２)を通過することでオゾン水を生成することができる。
【００１４】
本発明品は、オゾン水を必要としない場合において発電機を無負荷で廻す、又は別途発電機を有効利用できるように出力端子を設け二次電池の充電、照明の構築など容易にできる機能を同時に有する。
【産業上の利用可能性】
【００１５】
以上の構成に基づいて本発明は、上水道における給水栓開放の放水により発電機を廻すことで電力を得、その電力によりオゾンを発生させ発電機を廻した水と撹拌混合することでオゾン水を生成することができるのでまったく外部よりの電力供給を必要としないオゾン水生成器である。
【図面の簡単な説明】
【００１６】
【図１】本発明の外観図である。（実施例１）
【図２】本発明の部品構成を示す展開図である。（実施例１）
【図３】本発明の水路を示す断面図である。（実施例１）
【符号の説明】
【００１７】
１    給出水オゾンミキシングケース
２    ミキシング壁
３    出水口
４    蛇口取付ネジ
５    蛇口固定リング
６    発電機起動スイッチ
７    発電、オゾン発生確認ＬＥＤ
８    発電機、オゾン発生器収納ケース
９    タービンケース
１０    タービン
１１    タービンケース蓋
１２    発電機取付ベース
１３    発電機
１４    発電機ケース蓋
１５    オゾン発生器ケース蓋
１６    オゾン発生器
【図１】
2005169297.tif 000003
【図２】
2005169297.tif 000004
【図３】
2005169297.tif 000005
(57)【要約】【課題】  魚肉から苦味の少ないアミノ酸を抽出する。【解決手段】  魚肉を蛋白質分解酵素で酵素分解してペプチド状にしたことを特徴とする，アミノ酸を含有する食品原料が提供される。また，魚肉に水を添加しミンチにし，もしくは，魚肉のミンチに水を添加し，蛋白質分解酵素を添加して酵素分解した後，固液分離し，液分を乾燥することを特徴とする，アミノ酸を含有する食品原料の製造方法が提供される。本発明によれば，魚肉から苦味の少ないアミノ酸を抽出することができるようになる。【特許請求の範囲】
【請求項１】
魚肉を蛋白質分解酵素で酵素分解してペプチド状にしたことを特徴とする，アミノ酸を含有する食品原料。
【請求項２】
魚肉に水を添加しミンチにし，もしくは，魚肉のミンチに水を添加し，蛋白質分解酵素を添加して酵素分解した後，固液分離し，液分を乾燥することを特徴とする，アミノ酸を含有する食品原料の製造方法。
【発明の詳細な説明】
【技術分野】
【０００１】
本説明は，アミノ酸を含有する食品原料とその製造方法に関する。
【背景技術】
【０００２】
アミノ酸は，生命活動の原動力として必要な物質で，医薬品・化粧品・食品分野で幅広く利用されており，２０種類のアミノ酸のうち１６類が工業的に生産されている。
【０００３】
天然物から２０種類のアミノ酸を抽出する方法として酵素法が知られているが，苦味が出るために天然物からのアミノ酸の抽出はなされていなかった。
【発明の開示】
【発明が解決しようとする課題】
【０００４】
本発明の目的は，魚肉から苦味の少ないアミノ酸を抽出することを目的としている。
【課題を解決するための手段】
【０００５】
この目的を達成するために，本発明によれば，魚肉を蛋白質分解酵素で酵素分解してペプチド状にしたことを特徴とする，アミノ酸を含有する食品原料が提供される。また本発明によれば，魚肉に水を添加しミンチにし，もしくは，魚肉のミンチに水を添加し，蛋白質分解酵素を添加して酵素分解した後，固液分離し，液分を乾燥することを特徴とする，アミノ酸を含有する食品原料の製造方法が提供される。
【発明の効果】
【０００６】
本発明によれば，魚肉から苦味の少ないアミノ酸を抽出することができるようになる。
【発明を実施するための最良の形態】
【０００７】
本発明において用いられる魚類は，例えば鮭やたらであり，それらの魚肉が好適に用いられる。
【０００８】
先ず，それら魚類の身を予め洗浄し，それに水を添加する。そして，粉砕することによりミンチにする。もしくは，洗浄した魚類の身を粉砕することによりミンチにし，それに水を添加する。そして，蛋白質分解酵素を添加して酵素分解する。添加する蛋白質分解酵素は，魚肉の種類に応じて，その種類が変る。蛋白分解酵素は，菌類，カビ類，酵母類，植物類，動物類に大きく次に分類されるが，魚肉の種類に応じて，その種類を適宜選択する。
【０００９】
酵素分解する際には，攪拌し，液中全体で分解が行われるようにすることが好ましい。また，酵素分解は１時間以上行う。
【００１０】
酵素分解後，固液分離する。この場合，活性炭，ろ過助剤を添加し，フィルタープレスでろ過することができる。また，塩酸または硫酸を添加してｐＨを４．０〜４．５％に維持することにより油分を分離し，その後，活性炭，ろ過助剤を添加し，フィルタープレスでろ過することもできる。また，遠心分離機でろ過しても良い。このように固液分離することによって，液分を脱脂，脱臭，脱色することができる。
【００１１】
次に，固液分離した液分を乾燥する。液分の乾燥は，スプレードライ方式や減圧乾燥方式で行うことができる。
【００１２】
こうして，アミノ酸を含有する，ペプチド状の食品原料を得ることができる。
【実施例】
【００１３】
鮭の切り身を常温で水で洗浄し，ミンチにした。それにミンチと同重量の水を添加し，５０℃に加熱した。次いで，菌系の蛋白分解酵素をミンチの０．１重量％となるように添加した。そして，５０℃に維持して攪拌しながら４５分間酵素分解した。その後，９０℃以上で１５分間撹拌し，酵素失活させた。次に，ミンチの０．５重量％の活性炭（細孔径３０Å以下）を添加し，５０℃で１時間撹拌した。その後，ろ過助剤を添加してろ過した。こうして固液分離して得た液分を脱塩し，濃縮させてから，除菌フィルターでろ過し，乾燥させた。こうして，得られた粉末は，アミノ酸を含有する，ペプチド状の食品原料となった。
【００１４】
酵素添加量が魚肉ミンチの０．１重量％で，酵素分解を４５分間行うと，摂取した際に体内への収率が最も高くなり，苦味味が少ない。その理由は，苦味の原因であるロイシン，イソロイシン，バリンがペプタイドのＮ端末にではなく，中間位置にある状態でアミノ酸が抽出されるためである。酵素失活させた後に細孔径３０Å以下の活性炭を添加すると，ペプタイドが吸着されることなく脱脂・脱臭・脱色なされる。
【産業上の利用可能性】
【００１５】
本発明で得られる食品原料は，他の蛋白質やビタミンとの配合して使用することもできる。
(57)【要約】      （修正有） 【課題】機械的に音波を増やすのとくらべて、発音が細微で人声が同じではっきり、聞きやすくなるようにする。【解決手段】人肌によく似た素材で、手の指の原形を紙粘土及び木粉で固め、その部材を両方又は片方に装置する。【効果】集音下音声が生のまま増強し、自然ではっきり下音波が頭脳に入ってくる。【選択図】なし【特許請求の範囲】
【請求項１】
１．自分の耳に両手を揚げて耳を覆い、音声を集音し音波を正確にとらえる補助装置材料・・・紙粘土・木粉・竹炭粉・眞竹繊維  酸化鉄・酸化チタン等の生成炭化物
【請求項２】
２．高齢者の難聴が音声をとらえ易くする器具である
【発明の詳細な説明】
【技術分野】
【０００１】この発明は弱難聴者が音声をとらえて楽に聞く器具である
【背景技術】
【０００２】従来は、磁石と電池等の器具で音を大きくする
【発明の開示】
【発明が解決しようとする課題】
【０００３】機械的又は人工的に音声を増大する為、音波が一つになって自然に耳に入りにくかった。本発明は以上の様な欠点をなくす為である
【課題を解決する為の手段】
【０００４】人肌によく似た素材で、手の指の原形を紙粘土及び木粉で固め、その部材を両方又は片方に装置する
【発明の効果】
【０００５】集音した音声が生のまま増強し、自然ではっきりした音波が頭脳に入ってくる
【発明を実施する為の最良の形態】
【０００６】以下、本発明の実施に就いて説明する両耳に懸けた集音波補聴器の保定の為のバンドを頭上より下げ、耳の側面の定位置に乗る様ガードを設ける2005198225.tif 000002
(57)【要約】【課題】開閉を容易にする機能を持たせた片手で開閉が可能な開閉補助機構付き折りたたみ式携帯通信機器を提供する。【解決手段】折りたたみ式の携帯通信機器（１）に開閉補助機構（２）を設けたことを特徴とする。【選択図】図２
2005198224.tif 000002
【特許請求の範囲】
【請求項１】
折りたたみ式の携帯通信機器（１）に開閉補助機構（２）を設けた片手で開閉が可能な開閉補助機構付き折りたたみ式携帯通信機器。
【発明の詳細な説明】
【発明の詳細な説明】
【技術分野】
【０００１】  この発明は、開閉を容易にする機能を持たせた片手で開閉が可能な開閉補助機構付き折りたたみ式携帯通信機器に関するものである。
【背景技術】
【０００２】  従来、携帯電話などの折りたたみ式携帯通信機器は、両手を使って開閉し使用していた。
【発明が解決しようとする課題】
【０００３】  そのために、次のような欠点があった。
（イ）片手が不自由な人や、片手に怪我を負っている人が使用するとき、不便であった。
（ロ）手荷物を持っている人が使用するとき、不便であった。
（ハ）料理など軽作業をおこなっている人が使用するとき、不便であった。
本発明は、これらの欠点を解決するためになされたものである。
【課題を解決するための手段】
【０００４】  折りたたみ式の携帯通信機器（１）に開閉補助機構（２）とスイッチ（３）を設ける。
本発明は、以上の構成からなる片手で開閉が可能な開閉機構付き折りたたみ式携帯通信機器である。
【発明を実施するための最良の形態】
【０００５】  以下、本発明の実施の形態について説明する。
（イ）折りたたみ式の携帯通信機器（１）の開閉面に開閉を容易にする開閉補助機構（２）を設ける。
（ロ）折りたたみ式の携帯通信機器（１）に開閉補助機構（２）を動作させるスイッチ（３）を設ける。
（ハ）開閉補助機構（２）とスイッチ（３）は機械的もしくは電気的に連動するように設ける。
本発明は、以上のような構造でこれを使用するときは、スイッチ（３）を押すと折りたたみ式携帯通信機器の開閉面を押し上げるための開閉補助機構（２）が動作し、折りたたみ式の携帯通信機器（１）の開閉面が押し上げられる。その後、携帯通信機器を振ることによる遠心力で開閉面は完全に開く。
【発明の効果】
【０００６】  携帯電話など折りたたみ式の携帯通信機器の開閉を両手でおこなう必要がないので、片手が不自由な人や、片手に怪我を負っている人でも簡単に折りたたみ式の携帯通信機器を使用できる。また、手荷物を持っている人や軽作業をおこなっている人でも簡単に折りたたみ式の携帯通信機器を使用できる。
【図面の簡単な説明】
【図１】本発明の斜視図
【図２】本発明の実施例図
【図３】本発明の他の実施例図
【図４】本発明の他の実施例図
【図５】本発明の使用状態を示す説明図
【符号の説明】
（１）折りたたみ式の携帯通信機器
（２）開閉補助機構
（３）スイッチ
【図１】
2005198224.tif 000003
【図２】
2005198224.tif 000004
【図３】
2005198224.tif 000005
【図４】
2005198224.tif 000006
【図５】
2005198224.tif 000007
(57)【要約】【課題】巻線形誘導発電機を電力系統に接続する時に流れる突入電流を少なくする。【解決手段】起動時のみ回転子巻線に直流電流を流して同期発電機として起動し、常時は巻線形誘導発電機として運転する。  発電機が多数ある場合は起動装置を切り替えて使用する。【選択図】    図１
2005198373.tif 000002
【特許請求の範囲】
【請求項１】
巻線形誘導発電機の回転子巻線に起動時だけ直流電源を接続することを特徴とする巻線形誘導発電機の起動方式
【請求項２】
巻線形誘導発電機が多数ある場合、１台の直流電源と同期投入装置を全ての巻線形誘導発電機に切り替えて使用することを特徴とする巻線形誘導発電機の起動方式
【発明の詳細な説明】
【発明の詳細な説明】
【技術分野】
【０００１】  本発明は、誘導発電機を電力系統に接続するときだけ同期発電機とし、突入電流を抑制する装置および操作に関するものである。
【背景技術】
【０００２】  従来の起動方式は、誘導発電機を直接投入するもの、誘導発電機に直列にインピーダンスを接続するもの、誘導発電機の回転子巻線に抵抗を接続するもの、誘導発電機の結線をスターデルタに切り替えるもの、インバータで周波数変換するもの、等であった。
【発明の開示】
【発明が解決しようとする課題】
【０００３】  解決しようとする問題点は、誘導発電機を電力系統に接続するとき発生する突入電流を完全に無くすることが出来ないため、別に電圧変動を抑制する装置を付加したり、同期発電機を用いたりしなければならない点である。
【課題を解決しようとする課題】
【０００４】  本発明は、巻線形誘導発電機の起動時だけ同期発電機とし、常時は誘導発電機とするものである。
具体的には巻線形誘導発電機の回転子巻線に起動の時だけ直流電流を流し、同期速度に回転しながら、巻線形誘導発電機の固定巻線の電圧が系統電圧と同じ値になるよう直流電流の大きさを制御し、回転を制御して巻線形誘導発電機の電圧と系統電圧の位相角が等しくなるようにして遮断器を投入することを最も主要な特徴とする。
【発明の効果】
【０００５】  巻線形誘導発電機に同期発電機と同じ起動特性をもたせて、突入電流を同期発電機と同じ程度にすることが主な効果である。
【発明を実施するための最良の形態】
【０００６】  巻線形誘導発電機の回転子巻線にスリップリングを通して直流電流を流し、巻線形誘導発電機の固定巻線の電圧の絶対値と位相角を電力系統と一致させてから電力系統に接続する。
常時は直流電源を切り離し、スリップリングを短絡して巻線形誘導発電機として使用する。
巻線形誘導発電機が多数ある場合は１台の直流電源や同期投入システムを起動時だけ切り替えて使用する。
【実施例１】
【０００７】  図１は本発明の方式を示すブロック図で、巻線形誘導発電機の固定巻線１と電力系統５とのあいだに遮断器Ｓ３を接続する。
遮断器Ｓ２、Ｓ３を開いて巻線形誘導発電機の回転数を同期速度にしてから遮断器１を閉じ、直流電源４を制御して巻線形誘導発電機の固定巻線１が定格電圧を発生するよう調整する。
巻線形誘導発電機の固定巻線１が発生する電圧の大きさと位相角が電力系統５と同じ時に遮断器Ｓ３を閉じれば同期発電機とまったく同様に起動することが出来る。【０００８】  起動後は遮断器Ｓ１を開いた後、ただちに遮断器Ｓ２を閉じて巻線形誘導発電機として連続運転に入る。
ダイオードＤは遮断器Ｓ１を開いた時にフライホイールダイオードとして作用する。
巻線形誘導発電機が多数用いられる場合は、直流電源４および同期投入装置を１台だけ用い、起動する時だけ巻線形誘導発電機の回転子に直流電源４を接続する。
【産業上の利用可能性】
【０００９】  風力発電機や小水力発電機のように発電機が小型軽量安価であることが求められる用途に使用される。
【図面の簡単な説明】
【００１０】
【図１】本発明の方式の実施方法を示すブロック図である。（実施例１）
【符号の説明】
【００１１】          １        固定巻線
２        回転子巻線
３        スリップリング
４        直流電源
５        電力系統
Ｓ１、Ｓ２、Ｓ３        遮断器
Ｄ        ダイオード
【図１】
2005198373.tif 000003